(57)【要約】【課題】好ましい外観を有し、かつ、組立作業が容易な玩具花火の基台を提供する。【解決手段】中央部（１）と該中央部の左右両側に連続する一対の挟持部（３）（５）とを一枚のシート状体（７）により所望の形状に形成し、各挟持部を該中央部に対し上方に略直角に折り曲げて立ち上げ、一方の挟持部（３）における各縁部（１７ａ）（１７ｂ）を他方の挟持部（５）における対応縁部(１９ａ)（１９ｂ）にそれぞれ固定したことを特徴とする玩具花火の基台。【選択図】図１
2006170564.tif 000002
【特許請求の範囲】
【請求項１】
中央部と該中央部の左右両側に連続する一対の挟持部とを一枚のシート状体により所望の形状に形成し、各挟持部を該中央部に対し上方に略直角に折り曲げて立ち上げ、一方の挟持部における各縁部を他方の挟持部における対応縁部にそれぞれ固定したことを特徴とする玩具花火の基台。
【請求項２】
中央部と該中央部の左右両側に連続する一対の挟持部とを一枚のシート状体により所望の形状に形成し、該中央部における前後両端部にはそれぞれ切り欠きを形成し、該中央部における各端部をそれぞれ上方に略直角に折り曲げて立ち上げると共に、各挟持部を該中央部に対し上方に略直角にそれぞれ折り曲げて立ち上げ、各挟持部における各縁部の切り欠き側端をそれぞれ該中央部の各端部における切り欠きに係止したことを特徴とする玩具花火の基台。
【請求項３】
前記いずれか一方の挟持部には、玩具花火の導火線を導出するための導火線導出穴を開閉自在に備えさせたことを特徴とする請求項１又は２に記載の玩具花火の基台。
【発明の詳細な説明】
【技術分野】
【０００１】
本発明は、玩具花火の基台に関するものであり、例えば、打上花火等の玩具花火を直立状態で地上に保持するための基台に係るものである。
【背景技術】
【０００２】
玩具花火の基台としては、プラスチック又は紙により箱状体を形成し、該箱状体に玩具花火の基部を挿嵌する挿嵌孔を備えさせてなるものが知られている。
【０００３】
特開２００１−２４１８９７号公報は、紙を折曲して箱状体を形成し、該箱状体の中央に玩具花火の基部を挿嵌する挿嵌孔を備えさせ、該挿嵌孔は、その形成域内に複数の放射状切れ目を設け、隣接する切れ目間に生じた複数の折曲片をそれぞれ下向きに折曲してなる玩具花火の基台を開示している。
【特許文献１】特開２００１−２４１８９７号公報
【発明の開示】
【発明が解決しようとする課題】
【０００４】
しかるに、上記従来の玩具花火の基台は、プラスチック又は紙により箱状体を形成し、該箱状体に玩具花火の基部を挿嵌する挿嵌孔を備えさせてなるものであり、専ら打上花火を直立状態で地上に保持するという機能から生ずる必然的な形態のみを備えたものである。即ち、上記従来の玩具花火の基台は、外観上の面白みを有しないものである。また、紙製の基台においては、組立作業が複雑である。
【０００５】
本発明は、上記従来の玩具花火の基台における上述の如き問題を解決し、好ましい外観を有し、かつ、組立作業が容易な玩具花火の基台を提供しようとしてなされたものである。
【課題を解決するための手段】
【０００６】
上記課題を解決するために、本発明は、下記の玩具花火の基台を提供する。
【０００７】
（１）中央部と該中央部の左右両側に連続する一対の挟持部とを一枚のシート状体により所望の形状に形成し、各挟持部を該中央部に対し上方に略直角に折り曲げて立ち上げ、一方の挟持部における各縁部を他方の挟持部における対応縁部にそれぞれ固定したことを特徴とする玩具花火の基台（請求項１）。
【０００８】
（２）中央部と該中央部の左右両側に連続する一対の挟持部とを一枚のシート状体により所望の形状に形成し、該中央部における前後両端部にはそれぞれ切り欠きを形成し、該中央部における各端部をそれぞれ上方に略直角に折り曲げて立ち上げると共に、各挟持部を該中央部に対し上方に略直角にそれぞれ折り曲げて立ち上げ、各挟持部における各縁部の切り欠き側端をそれぞれ該中央部の各端部における切り欠きに係止したことを特徴とする玩具花火の基台（請求項２）。
【０００９】
（３）前記いずれか一方の挟持部には、玩具花火の導火線を導出するための導火線導出穴を開閉自在に備えさせる（請求項３）。
【００１０】
本願において、「前後」とは、「左右」と直角の水平方向をいうものとする。
【００１１】
［発明の作用］
［請求項１の発明］
一方の挟持部における各縁部を他方の挟持部における対応縁部にそれぞれ固定することにより、玩具花火を左右両側から挟持する挟持筒が形成される。
【００１２】
請求項１の基台を使用する際には、玩具花火を一対の挟持部により形成される挟持筒内に挿入し、該玩具花火の下端を中央部の上面に当接させた状態で該玩具花火を一対の挟持部により挟持させる。中央部の下面は接地する。挟持部は所望の形状を備えており、その形状は、各挟持部が立ち上がることにより、顕著に現われる。
【００１３】
基台は、多数本の玩具花火用に、繰り返し使用することができる。
【００１４】
［請求項２の発明］
各挟持部における各縁部の切り欠き側端をそれぞれ中央部の各端部における切り欠きに係止することにより、玩具花火を左右両側から挟持する挟持筒が形成される。
【００１５】
請求項２の基台を使用する際には、玩具花火を一対の挟持部により形成される挟持筒内に挿入し、該玩具花火の下端を中央部の上面に当接させた状態で該玩具花火を一対の挟持部により挟持させる。中央部の下面は接地する。挟持部は所望の形状を備えており、その形状は、各挟持部が立ち上がることにより、顕著に現われる。
【００１６】
基台は、多数本の玩具花火用に、繰り返し使用することができる。
【００１７】
［請求項３の発明］
導火線導出穴を閉じたときには、玩具花火の導火線は前記挟持筒内に位置し、挟持筒の外部からは見えない。導火線導出穴を玩具花火の点火時まで閉じておくことにより、導火線が保護される。
【００１８】
玩具花火の点火時には、導火線導出穴を開き、導火線を導火線導出穴から導出し、該導火線に点火する。
【００１９】
因みに、導火線が露出した状態で玩具花火を店頭に陳列しておくと、悪戯により、導火線が引き抜かれ或いは点火されるおそれがある。
【発明の効果】
【００２０】
挟持部は所望の形状を備えており、その形状は、各挟持部が立ち上がることにより、顕著に現われる。従って、本発明による玩具花火の基台は、極めて好ましい外観を有し、商品としての玩具花火の体裁を一層向上させる。
【００２１】
本発明による玩具花火の基台は、シート状体からの組立が極めて容易である。従って、組立作業に要する人件費も節減される。
【００２２】
挟持部に導火線導出穴を開閉自在に備えさせたときには、導火線導出穴を玩具花火の点火時まで閉じておくことにより、導火線が保護される。
【発明を実施するための最良の形態】
【００２３】
まず、図１〜図３に示す事例について説明する。
【００２４】
中央部１と該中央部１の左右両側に連続する一対の挟持部３、５とを一枚のシート状体７により所望の形状に形成する。
【００２５】
シート状体７は、好ましくは、紙により形成する。
【００２６】
この事例においては、中央部１は略長方形状に形成され、一対の挟持部３、５はロケットを模した形状に形成されている。
【００２７】
各挟持部３、５を中央部１に対し、それぞれ折曲線９、１１にて上方に略直角に折り曲げて立ち上げる。
【００２８】
符号１３ａ〜１３ｄ及び１５ａ〜１５ｄは、挟持部３、５に設けられた折曲線である。
【００２９】
一方の挟持部３における各縁部１７ａ、１７ｂを他方の挟持部５における対応縁部１９ａ、１９ｂにそれぞれ固定する。
【００３０】
一方の挟持部３における各縁部１７ａ、１７ｂを他方の挟持部５における対応縁部１９ａ、１９ｂに固定するための固定手段としては、例えば、ステープラー、糊等を用いる。
【００３１】
符号２１に示すものは、一対の挟持部３、５により形成される挟持筒であり、符号２３に示すものは、該挟持筒２１により挟持された玩具花火である。
【００３２】
いずれか一方の挟持部３（５）には、玩具花火２３の導火線２５を導出するための導火線導出穴２７を開閉自在に備えさせる。符号２９に示すものは、導火線導出穴２７を開閉する蓋である。
【００３３】
次に、図４〜図７に示す事例について説明する。
【００３４】
この事例においては、前記図１〜図３に示す事例と共通する部材、部分については、前記図１〜図３に示す事例と同一の符号を用いる。
【００３５】
中央部１と該中央部１の左右両側に連続する一対の挟持部３、５とを一枚のシート状体７により所望の形状に形成する。
【００３６】
シート状体７は、好ましくは、紙により形成する。
【００３７】
この事例においては、中央部１は略長方形状に形成され、一対の挟持部３、５はロケットを模した形状に形成されている。
【００３８】
中央部１における前後両端部３１、３３にはそれぞれ切り欠き３５、３７を形成する。
【００３９】
中央部１における各端部３１、３３をそれぞれ折曲線３９、４１にて上方に略直角に折り曲げて立ち上げる。
【００４０】
各挟持部３、５を中央部１に対し、それぞれ折曲線４３、４５にて上方に略直角に折り曲げて立ち上げ、各挟持部３、３における各縁部１７ａ、１７ｂ、１９ａ、１９ｂの切り欠き側端４７ａ、４７ｂ、４９ａ、４９ｂをそれぞれ中央部１の各端部３１、３３における切り欠き３５、３７に係止する。図７参照。
【００４１】
挟持部３、５は折曲線１３ａ〜１３ｄ及び１５ａ〜１５ｄを備えている。
【００４２】
玩具花火２３は、一対の挟持部３、５により形成された挟持筒２１により挟持される。
【００４３】
いずれか一方の挟持部３（５）には、玩具花火２３の導火線２５を導出するための導火線導出穴２７を開閉自在に備えさせる。符号２９に示すものは、導火線導出穴２７を開閉する蓋である。
【図面の簡単な説明】
【００４４】
【図１】本発明による玩具花火の基台の一例を示す展開図である。
【図２】同上基台を組み立てた状態を示す正面図である。
【図３】同上基台を組み立てた状態を示す側面図である。
【図４】本発明による玩具花火の基台の別の一例を示す展開図である。
【図５】同上基台を組み立てた状態を示す正面図である。
【図６】同上基台を組み立てた状態を示す側面図である。
【図７】挟持部における縁部の切り欠き側端を中央部の端部における切り欠きに係止する状態を示す斜視図である。
【符号の説明】
【００４５】
１  中央部
３  挟持部
５  挟持部
７  シート状体
９  折曲線
１１  折曲線
１３ａ  折曲線
１３ｂ  折曲線
１３ｃ  折曲線
１３ｄ  折曲線
１５ａ  折曲線
１５ｂ  折曲線
１５ｃ  折曲線
１５ｄ  折曲線
１７ａ  縁部
１７ｂ  縁部
１９ａ  縁部
１９ｂ  縁部
２１  挟持筒
２３  玩具花火
２５  導火線
２７  導火線導出穴
２９  蓋
３１  端部
３３  端部
３５  切り欠き
３７  切り欠き
３９  折曲線
４１  折曲線
４３  折曲線
４５  折曲線
４７ａ  切り欠き側端
４７ｂ  切り欠き側端
４９ａ  切り欠き側端
４９ｂ  切り欠き側端
【図１】
2006170564.tif 000003
【図２】
2006170564.tif 000004
【図３】
2006170564.tif 000005
【図４】
2006170564.tif 000006
【図５】
2006170564.tif 000007
【図６】
2006170564.tif 000008
【図７】
2006170564.tif 000009